(57)【要約】【課題】システム周波数帯域幅が、例えば、１．２５ＭＨｚ、２．５ＭＨｚ、５ＭＨｚ、１０ＭＨｚ、２０ＭＨｚであるシステムにおいて、初期セルサーチ時に基地局装置のシステム周波数帯域幅を確実に検出する。【解決手段】受信信号から同期チャネル信号を抽出し、前記同期チャネル信号に基づいて、同期シーケンスインデックスの同定を行ない、同期シーケンスインデックスに対応するセル固有情報インデックスからシステム周波数帯域幅を示す識別子を検出して初期セルサーチを行なう。また、前記識別子を検出した場合、その識別子に対応するシステム周波数帯域幅が、自身の最大受信周波数帯域幅ごとに区切られた際の各帯域幅の中心周波数帯域にマッピングされている前記識別子を有しない同期チャネル信号に基づいて、非初期セルサーチを行なう。【選択図】図２
2008124832.tif 000002
【特許請求の範囲】
【請求項１】
複数種類の異なるシステム周波数帯域幅を使用する無線通信システムに適用される基地局装置であって、
システム周波数帯域幅を示す識別子を有する識別子付き同期チャネル信号を生成する制御信号生成部と、
前記識別子付き同期チャネル信号を、前記システム周波数帯域幅の中心周波数帯域にマッピングするチャネルマッピング部と、を備えることを特徴とする基地局装置。
【請求項２】
前記制御信号生成部は、前記識別子を有しない同期チャネル信号を生成し、
前記チャネルマッピング部は、前記システム周波数帯域幅を、通信相手である移動局装置の最大受信周波数帯域幅ごとに区切った際の各帯域幅の中心周波数帯域に前記識別子を有しない同期チャネル信号をマッピングすることを特徴とする請求項１記載の基地局装置。
【請求項３】
前記同期チャネル信号に含まれるセル固有情報インデックスの一部が、前記識別子であることを特徴とする請求項１または請求項２記載の基地局装置。
【請求項４】
複数種類の異なるシステム周波数帯域幅を使用する無線通信システムに適用される移動局装置であって、
受信信号から同期チャネル信号を抽出する制御信号抽出部と、
前記同期チャネル信号に基づいて、同期シーケンスインデックスの同定を行ない、前記同期シーケンスインデックスに対応するセル固有情報インデックスからシステム周波数帯域幅を示す識別子を検出する初期セルサーチを行なうセルサーチ部と、を備えることを特徴とする移動局装置。
【請求項５】
前記セルサーチ部は、前記識別子を検出した場合は、その識別子に対応するシステム周波数帯域幅が、自身の最大受信周波数帯域幅ごとに区切られた際の各帯域幅の中心周波数帯域にマッピングされている前記識別子を有しない同期チャネル信号に基づいて、非初期セルサーチを行なうことを特徴とする請求項４記載の移動局装置。
【請求項６】
請求項１から請求項３のいずれかに記載の基地局装置と、請求項４または請求項５記載の移動局装置と、から構成されることを特徴とする無線通信システム。
【請求項７】
複数種類の異なるシステム周波数帯域幅を使用する無線通信システムに適用される移動局装置のセルサーチ方法であって、
受信信号から同期チャネル信号を抽出するステップと、
前記同期チャネル信号に基づいて、同期シーケンスインデックスの同定を行なうステップと、
前記同期シーケンスインデックスに対応するセル固有情報インデックスからシステム周波数帯域幅を示す識別子を検出して初期セルサーチを行なうステップと、
前記識別子を検出した場合、その識別子に対応するシステム周波数帯域幅が、自身の最大受信周波数帯域幅ごとに区切られた際の各帯域幅の中心周波数帯域にマッピングされている前記識別子を有しない同期チャネル信号に基づいて、非初期セルサーチを行なうステップと、を少なくとも含むことを特徴とするセルサーチ方法。
【請求項８】
複数種類の異なるシステム周波数帯域幅を使用する無線通信システムに適用される移動局装置のセルサーチ動作を制御するプログラムであって、
受信信号から同期チャネル信号を抽出する処理と、
前記同期チャネル信号に基づいて、同期シーケンスインデックスの同定を行なう処理と、
前記同期シーケンスインデックスに対応するセル固有情報インデックスからシステム周波数帯域幅を示す識別子を検出して初期セルサーチを行なう処理と、
前記識別子を検出した場合、その識別子に対応するシステム周波数帯域幅が、自身の最大受信周波数帯域幅ごとに区切られた際の各帯域幅の中心周波数帯域にマッピングされている前記識別子を有しない同期チャネル信号に基づいて、非初期セルサーチを行なう処理と、を含む一連の処理を、コンピュータが実行し得る命令群として構成したことを特徴とするプログラム。
【発明の詳細な説明】
【技術分野】
【０００１】
本発明は、複数種類の異なるシステム周波数帯域幅を使用し得る基地局装置、移動局装置、無線通信システム、セルサーチ方法およびプログラムに関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）では、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式が、セルラー移動通信の第三世代無線アクセス方式（３Ｇ）として標準化され、サービスが開始されている。また、３Ｇの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ、以下、「ＥＵＴＲＡ」と呼称する。）および３Ｇネットワークの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、以下、「ＥＵＴＲＡＮ」と呼称する。）が検討されている。また、基地局装置から移動局装置への無線リンク（以下、「下りリンク」と呼称し、移動局装置から基地局装置への無線リンクは、「上りリンク」と呼称する。）として、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が提案されている。
【０００３】
ＥＵＴＲＡ技術として、ＯＦＤＭ方式にチャネル符号化等の適応無線リンク制御（リンクアダプテーション、Ｌｉｎｋ  Ａｄａｐｔａｔｉｏｎ）に基づく適応変復調・誤り訂正方式（ＡＭＣＳ：Ａｄａｐｔｉｖｅ  Ｍｏｄｕｌａｔｉｏｎ  ａｎｄ  Ｃｏｄｉｎｇ  Ｓｃｈｅｍｅ）といった技術が適用されている。ＯＦＤＭ方式における下りリンクの無線チャネル配置について、ＯＦＤＭの周波数軸（サブキャリア）と時間軸（ＯＦＤＭシンボル）の無線リソースを用いて、時間分割多重ＴＤＭ（Ｔｉｍｅ  Ｄｉｖｉｏｎ  Ｍｕｌｔｉｐｌｅｘｉｎｇ）、周波数分割多重ＦＤＭ（Ｆｒｅｑｕｅｎｃｙ  Ｄｉｖｉｏｎ  Ｍｕｌｔｉｐｌｅｘｉｎｇ）、またはＴＤＭ・ＦＤＭの組み合わせで時間・周波数に多重する方法が提案されている。非特許文献１では、下りリンク無線フレームの構成、無線チャネルの配置方法が提案されている。
【０００４】
図１３は、３ＧＰＰの提案をベースに想定されているＥＵＴＲＡの下りリンク無線フレーム構成、無線チャネル配置の例を示す図である。下りリンク無線フレームは、周波数軸の複数サブキャリアのかたまりで周波数帯域幅Ｂｃｈと時間軸のサブフレームによる２次元の複数の無線リソースブロック（ＲＢ：Ｒｅｓｏｕｒｃｅ  Ｂｌｏｃｋ）により構成されている。
【０００５】
例えば、周波数軸では、基地局装置の最大送受信周波数帯域幅ＢＷ（以下、「システム周波数帯域幅」と呼称する。）を２０ＭＨｚ、ＲＢの周波数帯域幅Ｂｃｈを１８０ｋＨｚ、サブフレームを１．０ｍｓ、サブキャリア周波数帯域幅Ｂｓｃを１５ｋＨｚ、１つの無線フレームを１０ｍｓとする場合、下りリンクでは、１０００個のＲＢが含まれ、１つのＲＢに１２本のサブキャリアが含まれ、システム周波数帯域幅２０ＭＨｚ（有効周波数帯域幅１８ＭＨｚ）全体で１２００本のサブキャリアが含まれる。ＴｓはＯＦＤＭシンボル長を表す。
【０００６】
図１３に示したように、共通パイロットチャネルＣＰＩＣＨ（Ｃｏｍｍｏｎ  Ｐｉｌｏｔ  Ｃｈａｎｎｅｌ）は、各サブフレームの先頭に配置され、報知チャネルＢＣＨ（Ｂｒｏａｄｃａｓｔ  Ｃｈａｎｎｅｌ）と同期チャネルＳＣＨ（Ｓｙｎｃｈｒｏｎｉｓａｔｉｏｎ  Ｃｈａｎｎｅｌ）は、各無線フレームの先頭に配置されている。１つの無線フレーム（１０ｍｓｅｃ）に複数の同期チャネルＳＣＨと報知チャネルＢＣＨを配置することもできる。各ＲＢの残りの一部はトラフィックチャネルＴＣＨ（Ｔｒａｆｆｉｃ  Ｃｈａｎｎｅｌ）として使用し、ＡＭＣＳを用いて、各移動局装置に配分する。
【０００７】
同期チャネルＳＣＨは、ＯＦＤＭ受信信号の初期同期、セルサーチ（初期セルサーチおよび非初期セルサーチを含む）に使われている。移動局装置は、同期チャネルＳＣＨにより、キャリア周波数オフセット同定、ＯＦＤＭシンボルタイミング同期、無線フレームタイミング同期、セルサーチなどを行なう。報知チャネルＢＣＨは、基地局装置の固有情報、隣接セル情報、各移動局装置に伝送する共通な制御情報などが含まれている。
【０００８】
（１）同期チャネルＳＣＨに関する説明
上記のように、ＥＵＴＲＡの下りリンク無線フレームに挿入されている同期チャネルＳＣＨは、ＯＦＤＭ受信信号の初期同期、セルサーチなどに使われている。同期チャネルＳＣＨには、キャリア周波数オフセット同期、ＯＦＤＭシンボルタイミング同期、無線フレームタイミング同期、セルまたはセクタ固有の物理レイヤインデックス（ｃ＝１、２、・・・、Ｃ、以降セルＩＤと称する）、および、セルＩＤと関連する直接・間接情報インデックスが含まれている。さらに、同期チャネルＳＣＨには、基地局装置の送信アンテナ本数、基地局装置固有のシステム周波数帯域幅に依存する報知チャネル周波数帯域幅、ＯＦＤＭシンボルのＣＰ（Ｃｙｃｌｉｃ  Ｐｒｅｆｉｘ）長さ、無線フレームタイミングなどセルまたはセクタ構成関連の固有インデックスが含まれている。
【０００９】
ここでは、セルＩＤと関連する直接・間接情報インデックスと、セルまたはセクタ構成関連の固有インデックスを合わせて、セル固有情報インデックス（ｗ＝１、２、・・・、Ｗ）と定義する。なお、同期チャネルＳＣＨに、セルまたはセクタ構成関連の固有インデックスがない場合は、ｗはセルＩＤ（ｃ）と関連する直接・間接情報インデックスに対応する。さらにセルＩＤ（ｃ）と直接関連する場合、ｗ＝ｃまたはｗと、ｃとが１対１の対応関係になることもできる。
【００１０】
同期チャネルＳＣＨの構成は、キャリア周波数オフセットおよびＯＦＤＭシンボルタイミング検出精度、検出時間など初期同期特性と、セル固有情報インデックス（ｗ）（あるいは、同期シーケンスインデックス（ｇ）、後述）の検出確率、検出時間などセルサーチ特性と、システムオーバーヘッド（同期チャネルＳＣＨが占用するリソースと無線フレーム全体リソースの割合）と、移動局装置における信号処理の計算量など要因に依存する。初期同期特性の向上、セルサーチ特性の改善、移動局装置の処理量を考慮しながら、少ない同期チャネルＳＣＨリソースで多くのセル固有情報インデックス（ｗ）を表現できるように、例えば第１の同期チャネルＰ−ＳＣＨと第２の同期チャネルＳ−ＳＣＨ、階層・非階層など様々な同期チャネルＳＣＨ構成が提案されている（非特許文献１参照）。
【００１１】
同期チャネルＳＣＨ（あるいは第２の同期チャネルＳ−ＳＣＨ）には、セルまたはセクタに異なるＧＣＬ（Ｇｅｎｅｒａｌｉｚｅｄ  Ｃｈｉｒｐ  Ｌｉｋｅ）シーケンスインデックスを持つＧＣＬシーケンスなど同期シーケンスインデックス（ｇ＝１、２、・・・、Ｇ）が配置され、同期シーケンスインデックス（ｇ＝１、２、・・・、Ｇ）は、セル固有情報インデックス（ｗ）と関連付けられて（例えば、ｇ＝ｗ、あるいはｇとｗが１対１の対応関係など）、同期シーケンスインデックス（ｇ）の検出により、セル固有情報インデックス（ｗ）を検出する方法が提案されている（非特許文献１参照）。
【００１２】
（２）セルサーチ手順に関する説明
移動局装置は、電源立ち上げ時、カバレッジ外から戻ってきた時に、キャンプするセルをサーチするために初期セルサーチＩＣＳ（Ｉｎｉｔｉａｌ  Ｃｅｌｌ  Ｓｅａｒｃｈ）、通信待ち受け時（アイドルモード）、あるいは通信中（アクティブモード）、セル再選択かハンドオーバのための隣接セル測定のために、非初期セルサーチＮＣＳ（Ｎｏｎ−ｉｎｉｔｉａｌ  Ｃｅｌｌ  Ｓｅａｒｃｈ、隣接セルサーチも称する）が必要である。ＥＵＴＲＡシステムでは、Ｗ−ＣＤＭＡ方式と類似の三段セルサーチ手順が提案されている（非特許文献１参照）。
【００１３】
図１４は、ＥＵＴＲＡシステムにおけるセルサーチ手順の例を示すフローチャートである。ステップ１（Ｒ１、第１段）では、受信した複数の同期チャネルＳＣＨの受信信号に対して、時間領域における自己相関または相互相関処理により最大電力の同期チャネルＳＣＨに対応したキャリア周波数オフセット、ＯＦＤＭシンボルタイミングの検出を行なう。ステップ２（Ｒ２、第２段）において、検出結果によりキャリア周波数オフセットおよびＯＦＤＭシンボルタイミング補正を行ない、ＯＦＤＭ信号を復調し（ＣＰ除去、ＤＦＴ変換）、周波数領域における同期チャネルＳＣＨにマッピングされた同期シーケンスインデックス（ｇ）を検出し、セル固有情報インデックス（ｗ）を同定する。セル固有情報インデックス（ｗ）にセルＩＤ（ｃ）が直接含まれる場合、セルＩＤが同定される。
【００１４】
セル固有情報インデックス（ｗ）にセルＩＤ（ｃ）の間接情報、例えば、Ｗ−ＣＤＭＡ方式に使われているスクランブリンググループＳＧ（Ｓｃｒａｍｂｌｉｎｇ  Ｇｒｏｕｐ）インデックス（ｈ＝１、２、・・・、Ｈ、Ｗ−ＣＤＭＡ方式の場合Ｈ＝６４）が同定された場合、さらにステップ３（Ｒ３、第３段）で、スクランブリンググループＳＧインデックス（ｈ）を指す複数のスクランブリングコードＳＣ（Ｓｃｒａｍｂｌｉｎｇ  Ｃｏｄｅ）インデックス（ｓ＝１、２、・・・、Ｓ、Ｗ−ＣＤＭＡ方式の場合Ｓ＝５１２）を用いて、例えば１つのスクランブリンググループＳＧインデックス（ｈ）の１つが８個のスクランブリングコードＳＣインデックス（ｓ）を指す場合、受信した複数のリファレンス信号ＲＳに対して８回ディスクランブリングラブリング処理を行ない、最大電力の下りリンクリファレンスシグナリングチャネルＤＲＳＣＨを用いて、セルＩＤ（ｃ）（ここでは、ｉ＝ｃと仮定）を同定する。
【００１５】
ＥＵＴＲＡ／ＥＵＴＲＡＮの技術要求条件として、既存の２Ｇ、３Ｇ移動通信サービスとの融合、共存のため、スペクトル柔軟性（Ｓｐｅｃｔｒｕｍ  Ｆｌｅｘｉｂｉｌｉｔｙ）が要求され、異なるシステム周波数帯域幅、例えば、１．２５ＭＨｚ、２．５ＭＨｚ、５ＭＨｚ、１０ＭＨｚ、２０ＭＨｚに対する周波数割り当てのサポート（Ｓｕｐｐｏｒｔ  ｆｏｒ  ｓｐｅｃｔｒｕｍ  ａｌｌｏｃａｔｉｏｎｓ  ｏｆ  ｄｉｆｆｅｒｅｎｔ  ｓｉｚｅ）が要求されている。また、異なるシステム周波数帯域幅に対して、異なる周波数帯域幅の送受信能力を持つ、例えば１０ＭＨｚ、２０ＭＨｚ移動局装置能力（ＵＥ  Ｃａｐａｂｉｌｉｔｙ）を有する移動局装置の対応が要求されている（非特許文献２参照）。
【００１６】
また、ＥＵＴＲＡ／ＥＵＴＲＡＮシステムの基地局装置ＲＦ（Ｒａｄｉｏ  Ｆｒｅｑｕｅｎｃｙ）中心周波数は、既存のＷ−ＣＤＭＡシステムの周波数スペクトラムと共用するため、Ｗ−ＣＤＭＡに使用されているＲＦ中心周波数およびチャネル番号ＵＡＲＦＣＮ  （ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ（非特許文献３参照）に合わせる必要がある。周波数ラスター（Ｆｒｅｑｕｅｎｃｙ  Ｒａｓｔｅｒ：２００ｋＨｚ）の関係で、図１５に示すように、同期チャネルＳＣＨおよび／または報知チャネルＢＣＨは、周波数ラスターに合わせるために、基地局装置ＲＦ中心周波数を中心に、一部のシステム周波数帯域幅、例えば１．２５ＭＨｚに配置する方法がある（非特許文献１参照）。
【００１７】
また、移動局装置の所有する周波数帯域幅（移動局装置能力）がシステム周波数帯域幅より小さい場合、初期セルサーチと待ち受けセルサーチのとき、および通信中セルサーチのときに使用すべき周波数帯域位置指定（中心周波数シフト）の方法が示されている（非特許文献１参照）。これについて、図１６を参照しながら説明する。例えば、システム周波数帯域幅が２０ＭＨｚ、移動局装置能力が１０ＭＨｚの場合、移動局装置は、電源がオンとなって、まずＷ−ＣＤＭＡのチャネル番号ＵＡＲＦＣＮ（周波数ラスター：２００ＫＨｚ）間隔で、初期セルサーチ（バンドサーチを含む）を行なう。初期セルサーチでは、１．２５ＭＨｚの同期チャネルＳＣＨの電力を受信することによってシステム周波数帯域幅の中心１．２５ＭＨｚの有効セル信号を検出し、同期チャネルＳＣＨを受信する。その後、報知チャネルＢＣＨを受信する。
【００１８】
報知チャネルＢＣＨには、異なる移動局装置能力の移動局装置それぞれが使用すべき周波数帯域位置を指定するためのシステム周波数帯域幅情報と周波数シフト情報が含まれている。待ち受け中（アイドルモード）の移動局装置が、通信中（アクティブモード）に移行する場合、移動局装置は、その制御情報に従って使用周波数帯域位置へ移動し、パケットデータ通信を開始する。
【００１９】
一方、図１７に示すように２０ＭＨｚシステム周波数帯域幅を有する基地局装置に対して、同期チャネルＳＣＨの配置について、基地局装置ＲＦ中心周波数、すなわち２０ＭＨｚシステム周波数帯域幅の中心周波数、上位１０ＭＨｚ帯域幅の中心周波数、および下位１０ＭＨｚ帯域幅の中心周波数に合わせて、３つの１．２５ＭＨｚの同期チャネルＳＣＨと報知チャネルＢＣＨを配置する方法がある（非特許文献４参照）。
【００２０】
この方法では、基地局装置ＲＦ中心周波数による初期セルサーチと、非初期セルサーチ、すなわち待ち受け（アイドルモード）中セルサーチ、および上位／下位１０ＭＨｚ帯域幅の中心周波数（チャネル番号ＵＡＲＦＣＮに合わない）による通信中（アクティブモード）セルサーチを行なうことができる。アクティブモードの移動局装置は、ハンドオーバ時に隣接セルの通信中セルサーチを行なう必要がある。アイドルモードの移動局装置は、ページング情報や報知情報の更新時にサービングセルおよび隣接セルの待ち受け中セルサーチを行なう必要がある。
【００２１】
図１８は、基地局装置のシステム周波数帯域を２０ＭＨｚとした場合に、その中心周波数を示すと共に、システム周波数帯域において移動局装置が利用する１０ＭＨｚの周波数帯域を示す図である。図１８に示すように、移動局装置の利用周波数帯域にガードバンドをどのように取るかによって、移動局装置の利用周波数帯域の中心周波数が僅かにずれる場合があることを示している。
【００２２】
また、図１９から図２３は、同期チャネルＳＣＨの構成を示す図である。例えば、基地局装置の送信アンテナ本数、報知チャネル周波数帯域幅、ＯＦＤＭシンボルのＣＰ長さ、無線フレームタイミングをそれぞれ２状態とする。セル構成ＩＤ総数（Ｗ）を１６（４ｂｉｔ）とする。基地局装置のシステム周波数帯域幅が２０ＭＨｚで、サブキャリア総数は１２０１本で、中心サブキャリアを除き、さらにリファレンス信号ＲＳのサブキャリア間隔は６とすると、図１９に示すように、同期チャネルＳＣＨにマッピングされた同期シーケンス長さ（例えばＧＣＬシーケンスの長さ）を７２サブキャリア（同期チャネル帯域幅１．２５ＭＨｚ＝６ＲＢ分）とする場合、式（１）によりセクタ固有の物理レイヤインデックス総数（Ｃ）は８４０であり、すなわち、８４０個セクタを同定することができる。
Ｃ＝ｉｎｔ（Ｓ／Ｗ）Ｕ・・・（１）
ここで、ＣはセルＩＤ（ｃ）の総数、Ｕはリファレンス信号ＲＳシーケンスインデックスの総数、Ｗはセル構成ＩＤ（ｗ）の総数、Ｓは同期チャネルＳＣＨにマッピングされた同期シーケンスインデックス（ｓ）の総数を示す。
【００２３】
また、同期チャネルは、図２０〜図２３に示す構成を採ることも可能である。図２０では、図１９に対して、１サブキャリアおきに同期チャネルを並べている。図２１では、同期チャネルＰ−ＳＣＨと同期チャネルＳ−ＳＣＨとを交互に並べている。また、図２２では、１サブキャリアおきで、かつ、同期チャネルＰ−ＳＣＨと同期チャネルＳ−ＳＣＨとを交互に並べている。図２３では、第１の同期チャネルと第２の同期チャネルとを時間軸方向に並べている。同期チャネル構成は、これら以外の組み合わせも想定される。
【非特許文献１】３ＧＰＰ  ＴＲ（Ｔｅｃｈｎｉｃａｌ  Ｒｅｐｏｒｔ）２５．８１４、Ｐｈｙｓｉｃａｌ  Ｌａｙｅｒ  Ａｓｐｅｃｔｓ  ｆｏｒ  Ｅｖｏｌｏｖｅｄ  ＵＴＲＡ．ｈｔｔｐ：／／ｗｗｗ．３ｇｐｐ．ｏｒｇ／ｆｔｐ／Ｓｐｅｃｓ／ｈｔｍｌ−ｉｎｆｏ／２５８１４．ｈｔｍ
【非特許文献２】３ＧＰＰ  ＴＲ（Ｔｅｃｈｎｉｃａｌ  Ｒｅｐｏｒｔ）２５．９１３、Ｒｅｑｕｉｒｅｍｅｎｔｓ  ｆｏｒ  ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （ＵＴＲＡ）  ａｎｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）．ｈｔｔｐ：／／ｗｗｗ．３ｇｐｐ．ｏｒｇ／ｆｔｐ／Ｓｐｅｃｓ／ｈｔｍｌ−ｉｎｆｏ／２５９１３．ｈｔｍ
【非特許文献３】３ＧＰＰ  ＴＳ  ２５．１０１、Ｖ６．８．０（２００５−０６）、Ｕｓｅｒ  Ｅｑｕｉｐｍｅｎｔ  （ＵＥ）  ｒａｄｉｏ  ｔｒａｎｓｍｉｓｓｉｏｎ  ａｎｄ  ｒｅｃｅｐｔｉｏｎ  （ＦＤＤ）、ｈｔｔｐ：／／ｗｗｗ．３ｇｐｐ．ｏｒｇ／ｆｔｐ／Ｓｐｅｃｓ／ｈｔｍｌ−ｉｎｆｏ／２５−ｓｅｒｉｅｓ．ｈｔｍ
【非特許文献４】Ｒ１−０６２２１７、  Ｓａｍｓｕｎｇ、  ＳＣＨ  ｓｔｒｕｃｔｕｒｅ  ｃｏｎｓｉｄｅｒｉｎｇ  ＥＵＴＲＡ  ｓｐｅｃｔｒｕｍ  ａｌｌｏｃａｔｉｏｎ、  ３ＧＰＰ  ＴＳＧ  ＲＡＮ  ＷＧ１  Ｍｅｅｔｉｎｇ  ＃４６、  Ｔａｌｌｉｎｎ、  Ｅｓｔｏｎｉａ、  Ａｕｇ．  ２８  -  Ｓｅｐｔ．  １、  ２００６ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿４６／Ｄｏｃｓ／
【発明の開示】
【発明が解決しようとする課題】
【００２４】
しかしながら、基地局装置ＲＦ中心周波数による初期セルサーチと、非初期セルサーチ、すなわち、待ち受け中セルサーチ、及び上位／下位１０ＭＨｚ帯域幅の中心周波数（チャネル番号ＵＡＲＦＣＮに合わない）による通信中セルサーチを行うと、セルサーチに必要な報知情報も３つ配置しなければならない。ところが、非初期セルサーチともに上位／下位１０ＭＨｚで行うように構成すれば、基地局装置ＲＦ中心周波数の報知情報は必要ない。つまり、非初期セルサーチを別の周波数帯域で行うと不必要な無線リソースを使用してしまう。
【００２５】
一方、基地局装置のシステム周波数帯域幅は、１．２５ＭＨｚから２０ＭＨｚまでさまざまであるため、初期セルサーチの手順は、システム周波数帯域幅に依存することなく統一させる必要がある。さらに、基地局装置のシステム周波数帯域幅は、報知情報に含まれており、報知情報が初期セルサーチ時に取得できない場合、システム周波数帯域幅の情報を取得するのは不可能である。
【００２６】
また、２０ＭＨｚ以外のシステム周波数帯域幅の初期セルサーチ時には、基地局装置のＲＦ中心周波数で、移動局装置は報知情報の取得を行う必要がある。従って、２０ＭＨｚのシステム周波数帯域幅の初期セルサーチ時には、移動局装置が少なくとも２０ＭＨｚ周波数帯域幅のシステムであることを検出できるようにする必要がある。
【００２７】
本発明は、このような事情に鑑みてなされたものであり、システム周波数帯域幅が、例えば、１．２５ＭＨｚ、２．５ＭＨｚ、５ＭＨｚ、１０ＭＨｚ、２０ＭＨｚであるシステムにおいて、初期セルサーチ時に基地局装置のシステム周波数帯域幅を確実に検出することができる基地局装置、移動局装置、無線通信システム、セルサーチ方法およびプログラムを提供することを目的とする。
【課題を解決するための手段】
【００２８】
（１）上記の目的を達成するために、本発明は、以下のような手段を講じた。すなわち、本発明の基地局装置は、複数種類の異なるシステム周波数帯域幅を使用する無線通信システムに適用される基地局装置であって、システム周波数帯域幅を示す識別子を有する識別子付き同期チャネル信号を生成する制御信号生成部と、前記識別子付き同期チャネル信号を、前記システム周波数帯域幅の中心周波数帯域にマッピングするチャネルマッピング部と、を備えることを特徴としている。
【００２９】
このように、システム周波数帯域幅を示す識別子を有する識別子付き同期チャネル信号を、システム周波数帯域幅の中心周波数帯域にマッピングするので、使用する周波数帯域幅が異なる移動局装置は、初期セルサーチ時に上記中心周波数帯域で同期チャネル（ＳＣＨ２）を受信することによって、確実にシステム周波数帯域幅を把握することが可能となる。
【００３０】
（２）また、本発明の基地局装置において、前記制御信号生成部は、前記識別子を有しない同期チャネル信号を生成し、前記チャネルマッピング部は、前記システム周波数帯域幅を、通信相手である移動局装置の最大受信周波数帯域幅ごとに区切った際の各帯域幅の中心周波数帯域に前記識別子を有しない同期チャネル信号をマッピングすることを特徴としている。
【００３１】
このように、システム周波数帯域幅を、通信相手である移動局装置の最大受信周波数帯域幅ごとに区切った際の各帯域幅の中心周波数帯域に、前記識別子を有しない同期チャネル信号をマッピングするので、使用する周波数帯域幅が異なる移動局装置は、非初期セルサーチ時に上記中心周波数帯域で同期チャネル（ＳＣＨ１）を受信することによって、確実に非初期セルサーチを行なうことが可能となる。
【００３２】
（３）また、本発明の基地局装置において、前記同期チャネル信号に含まれるセル固有情報インデックスの一部が、前記識別子であることを特徴としている。
【００３３】
このように、セル固有情報インデックスの一部が、前記識別子であるので、システム周波数帯域を示す識別子のためにセルＩＤ（ｃ）の総数を極端に減らすことがなくなり、セルＩＤ（ｃ）の総数を十分に確保することが可能となる。
【００３４】
（４）また、本発明の移動局装置は、複数種類の異なるシステム周波数帯域幅を使用する無線通信システムに適用される移動局装置であって、受信信号から同期チャネル信号を抽出する制御信号抽出部と、前記同期チャネル信号に基づいて、同期シーケンスインデックスの同定を行ない、前記同期シーケンスインデックスに対応するセル固有情報インデックスからシステム周波数帯域幅を示す識別子を検出する初期セルサーチを行なうセルサーチ部と、を備えることを特徴としている。
【００３５】
このように、初期セルサーチを行なう際に、セル固有情報インデックスからシステム周波数帯域幅を示す識別子を検出するので、確実にシステム周波数帯域を把握することが可能となる。
【００３６】
（５）また、本発明の移動局装置において、前記セルサーチ部は、前記識別子を検出した場合は、その識別子に対応するシステム周波数帯域幅が、自身の最大受信周波数帯域幅ごとに区切られた際の各帯域幅の中心周波数帯域にマッピングされている前記識別子を有しない同期チャネル信号に基づいて、非初期セルサーチを行なうことを特徴としている。
【００３７】
このように、初期セルサーチにおいて識別子を認識した場合は、移動局装置は、周波数シフトを行なって、自身の最大受信周波数帯域で報知チャネルに基づいて非初期セルサーチを行なうことができる。これにより、周波数帯域が異なる移動局装置に対しても、確実にシステム周波数帯域幅を認識させることができるので、システム周波数帯域幅の中心周波数に報知チャネルをマッピングする必要がなくなり、無線リソースを有効活用することが可能となる。
【００３８】
（６）また、本発明の無線通信システムは、請求項１から請求項３のいずれかに記載の基地局装置と、請求項４または請求項５記載の移動局装置と、から構成されることを特徴としている。
【００３９】
この構成によれば、システム周波数帯域幅を示す識別子を有する識別子付き同期チャネル信号を、システム周波数帯域幅の中心周波数帯域にマッピングするので、使用する周波数帯域幅が異なる移動局装置は、初期セルサーチ時に上記中心周波数帯域で同期チャネル（ＳＣＨ２）を受信することによって、確実にシステム周波数帯域幅を把握することが可能となる。
【００４０】
（７）また、本発明のセルサーチ方法は、複数種類の異なるシステム周波数帯域幅を使用する無線通信システムに適用される移動局装置のセルサーチ方法であって、受信信号から同期チャネル信号を抽出するステップと、前記同期チャネル信号に基づいて、同期シーケンスインデックスの同定を行なうステップと、前記同期シーケンスインデックスに対応するセル固有情報インデックスからシステム周波数帯域幅を示す識別子を検出して初期セルサーチを行なうステップと、前記識別子を検出した場合、その識別子に対応するシステム周波数帯域幅が、自身の最大受信周波数帯域幅ごとに区切られた際の各帯域幅の中心周波数帯域にマッピングされている前記識別子を有しない同期チャネル信号に基づいて、非初期セルサーチを行なうステップと、を少なくとも含むことを特徴としている。
【００４１】
このように、システム周波数帯域幅を示す識別子を有する識別子付き同期チャネル信号を、システム周波数帯域幅の中心周波数帯域にマッピングするので、使用する周波数帯域幅が異なる移動局装置は、初期セルサーチ時に上記中心周波数帯域で同期チャネル（ＳＣＨ２）を受信することによって、確実にシステム周波数帯域幅を把握することが可能となる。
【００４２】
（８）また、本発明のプログラムは、複数種類の異なるシステム周波数帯域幅を使用する無線通信システムに適用される移動局装置のセルサーチ動作を制御するプログラムであって、受信信号から同期チャネル信号を抽出する処理と、前記同期チャネル信号に基づいて、同期シーケンスインデックスの同定を行なう処理と、前記同期シーケンスインデックスに対応するセル固有情報インデックスからシステム周波数帯域幅を示す識別子を検出して初期セルサーチを行なう処理と、前記識別子を検出した場合、その識別子に対応するシステム周波数帯域幅が、自身の最大受信周波数帯域幅ごとに区切られた際の各帯域幅の中心周波数帯域にマッピングされている前記識別子を有しない同期チャネル信号に基づいて、非初期セルサーチを行なう処理と、を含む一連の処理を、コンピュータが実行し得る命令群として構成したことを特徴としている。
【００４３】
このように、システム周波数帯域幅を示す識別子を有する識別子付き同期チャネル信号を、システム周波数帯域幅の中心周波数帯域にマッピングするので、使用する周波数帯域幅が異なる移動局装置は、初期セルサーチ時に上記中心周波数帯域で同期チャネル（ＳＣＨ２）を受信することによって、確実にシステム周波数帯域幅を把握することが可能となる。
【発明の効果】
【００４４】
本発明によれば、システム周波数帯域幅（例えば、１．２５ＭＨｚ，２．５ＭＨｚ，５ＭＨｚ，１０ＭＨｚ，２０ＭＨｚ）のシステムにおいて、初期セルサーチ時に基地局装置のシステム周波数帯域幅を確実に検出することが可能となる。
【発明を実施するための最良の形態】
【００４５】
次に、本発明の実施形態について、図面を参照しながら説明する。図１は、ＥＵＴＲＡの物理チャネル構成例を説明するための概念図である。図１では、ＥＵＴＲＡについて３ＧＰＰの提案をベースに想定されている「上り・下りリンク」の物理チャネル構成例を示す。
【００４６】
ＥＵＴＲＡの下りリンク物理チャネルとしては、次の種類のチャネルがある。すなわち、
（１）下りリンクリファレンスシグナリングチャネルＤＲＳＣＨ（Ｄｏｗｎｌｉｎｋ  Ｒｅｆｅｒｅｎｃｅ  Ｓｉｇｎａｌｉｎｇ  Ｃｈａｎｎｅｌ）、
（２）下りリンク同期チャネルＳＣＨ（Ｄｏｗｎｌｉｎｋ  Ｓｙｎｃｈｒｏｎｉｓａｔｉｏｎ  Ｃｈａｎｎｅｌ）、
（３）下りリンク報知チャネルＢＣＨ（Ｄｏｗｎｌｉｎｋ  Ｂｒｏａｄｃａｓｔ  Ｃｈａｎｎｅｌ）、
（４−１）下りリンク共用制御シグナリングチャネルＤＳＣＳＣＨ（Ｄｏｗｎｌｉｎｋ  Ｓｈａｒｅｄ  Ｃｏｎｔｒｏｌ  Ｓｉｇｎａｌｉｎｇ  Ｃｈａｎｎｅｌ）、および、
（４−２）下りリンク共用データチャネルＤＳＤＣＨ（Ｄｏｗｎｌｉｎｋ  Ｓｈａｒｅｄ  Ｄａｔａ  Ｃｈａｎｎｅｌ）である。
【００４７】
上記の（４−１）下りリンク共用制御シグナリングチャネルＤＳＣＳＣＨ、および下りリンク共用データチャネルＤＳＤＣＨによって、
（４）下りリンクスケジューリングチャネルＤＳＣＨ（Ｄｏｗｎｌｉｎｋ  Ｓｃｈｅｄｕｌｉｎｇ  Ｃｈａｎｎｅｌ）が構成されている。
【００４８】
また、ＥＵＴＲＡの上りリンク物理チャネルとしては、次の種類のチャネルがある。すなわち、
（１）上りリンクコンテンションベースチャネルＵＣＢＣＨ（Ｕｐｌｉｎｋ  Ｃｏｎｔｅｎｔｉｏｎ−ｂａｓｅｄ  Ｃｈａｎｎｅｌ）、
（２）上りリンクスケジューリングチャネルＵＳＣＨ（Ｕｐｌｉｎｋ  Ｓｃｈｅｄｕｌｉｎｇ  Ｃｈａｎｎｅｌ）、
（３）上りリンクリファレンスシグナリングチャネルＵＲＳＣＨ（Ｕｐｌｉｎｋ  Ｒｅｆｅｒｅｎｃｅ  Ｓｉｇｎａｌｉｎｇ  Ｃｈａｎｎｅｌ）である。
【００４９】
図２は、システム周波数帯域幅が２０ＭＨｚである本実施形態の下りリンク同期チャネルＳＣＨの配置例を示す図である。図１７に示した場合と同様に、同期チャネルＳＣＨは、基地局装置のＲＦ中心周波数、すなわち２０ＭＨｚシステム周波数帯域幅の中心周波数（ＳＣＨ２）、上位１０ＭＨｚ帯域幅の中心周波数（ＳＣＨ１）、および下位１０ＭＨｚ帯域幅の中心周波数（ＳＣＨ１）に合わせて、３つ同期チャネルＳＣＨを配置する。同期チャネルＳＣＨの周波数帯域幅は、一例として１．２５ＭＨｚとする。
【００５０】
ただし、図１７に示した場合とは異なり、図２では、報知チャネルＢＣＨは、上位１０ＭＨｚ帯域幅の中心周波数、および下位１０ＭＨｚ帯域幅の中心周波数に合わせて、２つ配置し、基地局装置のＲＦ中心周波数には配置しない。ここでは、周波数方向の問題を明確にするため、図２では、時間方向の概念を取り払って説明している。当然、同期チャネルＳＣＨや報知チャネルＢＣＨや通常のデータチャネルは時間方向にも多重されている。この場合、基地局装置ＲＦ中心周波数による初期セルサーチ、および上位／下位１０ＭＨｚ帯域幅の中心周波数（チャネル番号ＵＡＲＦＣＮに合わない）による非初期セルサーチ、すなわち待ち受けセルサーチおよび通信中セルサーチを行なうことができる。
【００５１】
ここで、初期セルサーチとは、ネットワークに未だ接続していない移動局装置（電源投入時など）が、チャネル番号ＵＡＲＦＣＮ（２００ｋＨｚ）間隔でバンドサーチを行ない、同期チャネルＳＣＨを検出し、すなわち同期シーケンスインデックス（ｇ）を検出し、同期シーケンスインデックス（ｇ）からセルＩＤ（ｃ）を識別するためのセル固有情報インデックス（ｗ）を取得することである。また、通信中セルサーチとは、アクティブモード移動局装置が、隣接セルの同期チャネルＳＣＨを検出し、サービングセル（現在、通信中のセル）との特性比較を行なってハンドオーバの判断を行なうことである。また、待ち受けセルサーチとは、アイドルモード移動局装置が、ページング情報や報知情報の更新時にサービングセル（現在、待ち受け中のセル）の同期チャネルＳＣＨおよび隣接セルの同期チャネルＳＣＨの検出を行なうことである。移動局装置は、待ち受け動作を上位／下位１０ＭＨｚ帯域で行なうため、基地局装置ＲＦ中心周波数には、報知チャネルＢＣＨを配置する必要はない。
【００５２】
しかしながら、図２に示すように、初期セルサーチ時には、１０ＭＨｚシステム周波数帯域幅以下の固有システム周波数帯域幅を持つ基地局装置とは違って、基地局装置ＲＦ中心周波数に報知チャネルＢＣＨが存在しないため、移動局装置は、初期セルサーチ後の報知チャネルＢＣＨ取得に失敗してしまう。すなわち、２０ＭＨｚシステム周波数帯域幅を有する基地局装置の場合、２０ＭＨｚ以下のシステム周波数帯域幅、例えば、図３に示すように、１０ＭＨｚ、５ＭＨｚ、２．５ＭＨｚ、１．２５ＭＨｚのシステム周波数帯域幅を有する基地局装置とは異なり、移動局装置は、通常、報知チャネルＢＣＨに含まれる基地局装置のシステム周波数帯域幅の情報を知ることができない。移動局装置は、基地局装置の固有システム周波数帯域幅を知ることができなければ、２０ＭＨｚの上位／下位１０ＭＨｚ帯域に配置されている報知チャネルＢＣＨを取得することができない。
【００５３】
そこで、本実施形態では、２０ＭＨｚシステム周波数帯域幅を有する基地局装置の初期セルサーチに使用する、基地局装置ＲＦ中心周波数の同期チャネルＳＣＨに、システム周波数帯域幅の情報を含めた。なお、同期チャネルＳＣＨの物理的な構造は、従来と同様な構造を採る。
【００５４】
同期チャネルＳＣＨとして、従来からさまざまな構成が提案されているが、本実施形態では、同期チャネルＳＣＨの構造、同期シーケンスの構成に関わらず、同期チャネルＳＣＨに配置する同期シーケンスインデックス（ｇ）に着目している。同期チャネルＳＣＨの構造により、配置できる同期シーケンスの長さが決定され、同期シーケンスの種類、すなわち同期シーケンスパターンによる表現できる同期シーケンス番号数、すなわち同期シーケンスインデックスの総数（Ｇ）を決定することができる。同期シーケンスインデックス（ｇ）は、セル固有情報インデックス（ｗ）と１対１の対応関係を持たされ、同期チャネルＳＣＨの同定、すなわち同期シーケンスインデックス（ｇ）の同定により、セル固有情報インデックス（ｗ）を同定し、セルＩＤなどセル構成の固有情報を同定することができる。
【００５５】
前述したように、同期チャネルＳＣＨには、セルＩＤ（ｃ）、およびセルＩＤ（ｃ）と関連する直接・間接情報インデックスと、基地局装置の送信アンテナ本数、基地局装置固有のシステム周波数帯域幅に依存する報知チャネル周波数帯域幅、ＯＦＤＭシンボルのＣＰ（Ｃｙｃｌｉｃ  Ｐｒｅｆｉｘ）長さ、無線フレームタイミングなどセルまたはセクタ構成関連の固有インデックスとが含まれていている。ここでは、セルＩＤ（ｃ）と関連する直接・間接情報インデックスと、セルまたはセクタ構成関連の固有インデックスを合わせて、セル固有情報インデックス（ｗ）を定義している。
【００５６】
本発明を分かりやすく説明するために、１つの例として、セル固有情報インデックス（ｗ）に対して、セルＩＤ（ｃ）だけを関連付ける。例えば、セル固有情報インデックス（ｗ）とセルＩＤ（ｃ）とが１対１の対応関係があるケースである。なお、一般性を損なわないように、セル固有情報インデックス（ｗ）には、セルＩＤ（ｃ）の間接情報、例えば、スクランブリンググループＳＧインデックス（ｈ）、および／またはセル固有構成情報、例えば、基地局装置の送信アンテナ本数、または基地局装置固有のシステム周波数帯域幅に依存する報知チャネル周波数帯域幅、ＯＦＤＭシンボルのＣＰ（Ｃｙｃｌｉｃ  Ｐｒｅｆｉｘ）長さ、無線フレームタイミングなど含んでもよいものとする。
【００５７】
１つの例として、Ｗ−ＣＤＭＡシステムに採用されているように、セルＩＤ（ｃ）は、５１２種類があると仮定する。すなわち、Ｃ＝５１２とする。各セルに対応するスクランブリングコードＳＣインデックス（ｈ）も５１２種類があり、すなわち、Ｈ＝５１２とする。
【００５８】
まず、同期チャネルＳＣＨによりセルＩＤ（ｃ）と２０ＭＨｚシステム周波数帯域幅の基地局装置と１０ＭＨｚ以下システム周波数帯域幅の基地局装置の識別子（以下、「２０ＭＨｚ帯域識別子（ｙ＝１、２）」と呼称する。）を表現する方法を考える。この場合、例えば、図４に示すように、同期チャネルＳＣＨに配置されている同期シーケンスインデックスの総数（Ｇ）を５１２とすると、２０ＭＨｚ帯域識別子（ｙ）は、２状態で１ビットが必要であるため、残りの同期シーケンスインデックス（ｇ）では、セル固有情報インデックス（ｗ）、すなわち、セルＩＤ（ｃ）を表現できる。つまり、同期シーケンスインデックスの総数（Ｇ）が５１２の場合、２状態で１ビットの２０ＭＨｚ帯域識別子（ｙ）と２５６状態で８ビットのセルＩＤを表すことができる。ここで、図４から明らかであるが、表現できるセルＩＤ（ｃ）が半減している。
【００５９】
そこで、図５に示すように、セルＩＤ（ｃ）の１番から５１１番までを、通常のセルＩＤとして使用し、セルＩＤの５１２番を、２０ＭＨｚの周波数帯域幅システム用の特別なＩＤ、すなわち２０ＭＨｚ帯域識別子（ｙ）として使用する。この２０ＭＨｚ帯域識別子（ｙ）は、初期セルサーチ用の同期チャネルＳＣＨ２として２０ＭＨｚシステム周波数帯域幅の中心周波数（チャネル番号ＵＡＲＦＣＮに合う）に配置される。よって、２０ＭＨｚ周波数帯域幅システムにおける初期セルサーチでは、移動局装置は、セルＩＤ（ｃ）を取得するのではなく、システム周波数帯域幅が２０ＭＨｚであることのみを検出することになる。
【００６０】
一方、非初期セルサーチ用の同期チャネルＳＣＨ１には、セルＩＤ（ｃ＝１）からセルＩＤ（ｃ＝５１１）までの計５１１個の中からセルごとに選択して配置される。１０ＭＨｚ以下のシステム周波数帯域幅の基地局装置は、セルＩＤ（ｃ＝１）からセルＩＤ（ｃ＝５１１）までをセルＩＤ（ｃ）として使用する。
【００６１】
図５に示すように、セル固有情報インデックス（ｗ）には、セルＩＤ（ｃ）の間接情報、例えば、セルＩＤグループ情報、および基地局装置送信アンテナ本数など他のセル固有構成情報を含んでも、セル固有情報インデックス（ｗ）の１つ、例えばｗ＝５１２を２０ＭＨｚ帯域識別子（ｙ）に使用することもできる。
【００６２】
また、図６に示すように、同期チャネルＳＣＨに配置されている同期シーケンスインデックスの総数（Ｇ）を５１２とし、アンテナ数を２本とする。アンテナ数は、２状態で１ビットが必要のため、残りの同期シーケンスインデックス（ｇ）では、セル固有情報インデックス（ｗ）、すなわち、セルＩＤ（ｃ）を表現できる。つまり、同期シーケンスインデックスの総数（Ｇ）が５１２の場合、２状態で１ビットのアンテナ数と２５６状態で８ビットのセルＩＤを表すことができる。そして、図６に示すように、アンテナ数の各状態について、セルＩＤ（ｃ）の１番から２５５番までを、通常のセルＩＤとして使用し、セルＩＤの２５６番を、２０ＭＨｚの周波数帯域幅システム用の特別なＩＤ、すなわち２０ＭＨｚ帯域識別子（ｙ）として使用する。この２０ＭＨｚ帯域識別子（ｙ）は、初期セルサーチ用の同期チャネルＳＣＨ２として２０ＭＨｚシステム周波数帯域幅の中心周波数（チャネル番号ＵＡＲＦＣＮに合う）に配置される。よって、２０ＭＨｚ周波数帯域幅システムにおける初期セルサーチでは、移動局装置は、セルＩＤ（ｃ）を取得するのではなく、システム周波数帯域幅が２０ＭＨｚであることのみを検出することになる。
【００６３】
さらに、図７に示すように、アンテナ数がいずれか一方の状態であるセルＩＤの２５６番目を２０ＭＨｚ帯域識別子（ｙ）として使用しても良い。図７では、アンテナ数が２である場合のセルＩＤ（ｃ）の２５６番目を２０ＭＨｚ帯域識別子（ｙ）として使用している。アンテナ数が１である場合のセルＩＤ（ｃ）の２５６番目を２０ＭＨｚ帯域識別子（ｙ）として使用しても良い。
【００６４】
このような構成により、２０ＭＨｚシステム周波数帯域幅を有するすべての基地局装置は、同じ同期チャネルＳＣＨ２を２０ＭＨｚ帯域識別子（ｙ）として送信することになる。よって、複数の基地局装置間で送信タイミング同期が得られている場合、無線区間の干渉が削減され、基地局装置の同期チャネルＳＣＨ２に対する送信電力を抑えることも可能である。また、初期セルサーチ時に、他の基地局装置から異なるセルＩＤ（Ｃ）が送信されて干渉することがないので、セルサーチ時間の短縮にもつながる。実際のセルの識別、すなわち、セル固有情報インデックス（ｗ）に含まれるセルＩＤ（ｃ）の直接・間接情報の識別は、同期チャネルＳＣＨ１を使用して行われる。
【００６５】
（Ａ）基地局装置の送信部の構成
図８は、本実施形態に係る基地局装置（セルまたはセクタ）の送信部の構成を示すブロック図である。図８では、１つのセクタの送信部を示す。１つの基地局装置が３つのセクタにより構成された場合は、図８に示す送信部を３つ備えることとなる。また、１つのセクタに複数本（１〜４）の送信アンテナにより構成された場合、図８に示した複数本の送信アンテナに対応する複数個（１〜４）送信部により構成することができる。ここでは、例として、１つのセクタに１本の送信アンテナが対応する送信部について説明する。
【００６６】
送信部１０には、直並列変換（Ｓ／Ｐ）部１１、制御信号生成部１２、チャネルマッピング部１３、ＩＤＦＴ変換部（逆離散フーリエ変換、Ｉｎｖｅｒｓｅ  Ｄｉｓｃｒｅｔｅ  Ｆｏｕｒｉｅｒ  Ｔｒａｎｓｆｏｒｍ）１４、並直列変換部（Ｐ／Ｓ）１５、ＣＰ（Ｃｙｃｌｉｃ  Ｐｒｅｆｉｘ）挿入部１６、ＤＡＣ処理部（デジタル／アナログ信号変換）１７、無線部（ＴＸ）１８および送信アンテナ１９が含まれる。
【００６７】
図１３に示した各移動局装置（例えば、図１３の移動局装置ＭＳ１、２、３）の送信データは、直並列変換部（Ｓ／Ｐ）１１に入力され、並列データ変換後、チャネルマッピング部１３に入力される。チャネルマッピング部１３では、移動局装置からフィードバックされたＣＱＩ測定結果（図１０に示す移動局装置の受信部のチャネル推定・ＣＱＩ測定部３０の出力）を用いて、該当移動局装置の無線伝搬路に適した無線リソースブロックＲＢを選択する適応変調（ＡＭＣＳ）を行ない、送信データを所定のＲＢにマッピングする。トラフィックチャネルＴＣＨにマッピングされたユーザデータは、ＩＤＦＴ変換部１４によりＯＦＤＭ信号を生成し、並直列変換部（Ｐ／Ｓ）１５、ＣＰ挿入部１６、ＤＡＣ処理部（デジタル／アナログ信号変換）１７を通じて、無線部（ＴＸ）１８に入力される。無線部（ＴＸ）１８では、ＯＦＤＭ信号のフィルタリング処理、周波数変換などを経て、送信アンテナ１９により下りリンク信号として移動局装置に送信される。
【００６８】
一方、制御信号生成部１２により、リファレンス信号ＲＳ、スクランブリングコードＳＣ信号（スクランブリングコードＳＣインデックスを含む）、同期チャネルＳＣＨ信号（セル固有情報インデックス（ｗ）を含む）、報知チャネルＢＣＨ信号、共用／個別制御信号などの制御信号を生成し、チャネルマッピング部１３に入力する。チャネルマッピング部１３では、図１３に示したように各制御信号を共通制御チャネルにマッピングする。
【００６９】
（１）リファレンス信号ＲＳの生成
リファレンス信号ＲＳとして、従来から、さまざまなリファレンスシーケンスおよびセル・セクタ間の配置方法（マッピング方法）が提案されている。ここでは、１つの例として、予め定義された基地局装置のシステム周波数帯域幅により、リファレンスシーケンスの長さを定義し、３つのセクタ間に直交のリファレンスシーケンスを使用する。リファレンス信号ＲＳは、ＡＭＣＳ技術を適用するための下りリンク無線伝搬路の品質測定（Ｄｏｗｎｌｉｎｋ−ｃｈａｎｎｅｌ−ｑｕａｌｉｔｙ  ｍｅａｓｕｒｅｍｅｎｔｓ）、移動局装置における相関復調または相関検出のための下りリンク伝搬路推定（Ｄｏｗｎｌｉｎｋ  ｃｈａｎｎｅｌ  ｅｓｔｉｍａｔｉｏｎ  ｆｏｒ  ｃｏｈｅｒｅｎｔ  ｄｅｍｏｄｕｌａｔｉｏｎ／ｄｅｔｅｃｔｉｏｎ  ａｔ  ｔｈｅ  ＵＥ）に使われる。また、同期チャネルＳＣＨにセルＩＤ（ｃ）の間接情報、例えば、スクランブリンググループＳＧインデックス（ｈ）が含まれる場合、セルサーチにも使われる。
【００７０】
（２）スクランブリングコードＳＣ信号の生成
スクランブリングコードＳＣ信号として、さまざまなシーケンスおよびセル・セクタ間の配置方法（マッピング方法）が提案されている。１つの例として、制御信号生成部１２は、制御データから指定されたスクランブリングコードＳＣの長さ、または基地局装置のシステム周波数帯域幅など情報から算出したスクランブリングコードＳＣの長さ、スクランブリンググループＳＧインデックス（ｈ）など制御データ情報から算出したスクランブリングコードＳＣインデックス（ｓ）を、予め定められているスクランブリングコードＳＣ生成式に代入し、所定のスクランブリングコードＳＣを生成し、チャネルマッピング部１３に出力する。チャネルマッピング部１３は、図９に示すようなスクランブリングコードＳＣを各サブキャリアにマッピングする（スクランブリング処理）。ただし、同期チャネルＳＣＨ信号に対してはスクランブリング処理を実施しない。
【００７１】
（３）同期チャネルＳＣＨ信号の生成
制御信号生成部１２は、制御データから指定された同期チャネルＳＣＨ生成情報により、同期チャネルＳＣＨ信号を生成する。同期チャネルＳＣＨ生成情報には、基地局装置のシステム周波数帯域幅、無線フレームにおける同期チャネルＳＣＨ信号の挿入位置、繰り返し回数、第１の同期チャネルＰ−ＳＣＨ、および第２の同期チャネルＳ−ＳＣＨの物理信号構成などの情報が含まれている。本実施形態では、これらの情報に関する限定するわけではなく、同期チャネルＳＣＨ（Ｐ−ＳＣＨとＳ−ＳＣＨ）に含まれる同期関連固有情報の１つである同期シーケンスインデックス（ｇ＝１、２、…、Ｇ）に着目してなされたものである。
【００７２】
制御信号生成部１２は、制御データから指定されたセルＩＤ（ｃ）の直接・間接情報、基地局装置の送信アンテナ本数、報知チャネル周波数帯域幅、ＯＦＤＭシンボルのＣＰ長さ、無線フレームタイミングなどセルまたはセクタ構成関連の固有インデックスを含め、セル固有情報インデックス（ｗ）を算出し、また、ｗと関連付けられた（例えば、ｇ＝ｗ、あるいはｇとｗが１対１の対応関係など）同期シーケンスインデックス（ｇ）を決定する。ｇを予め定められた同期シーケンス生成式に代入し、所定の同期シーケンスを生成し、チャネルマッピング部１３に出力する。基地局装置のシステム周波数帯域幅は１０ＭＨｚ以下の場合、チャネルマッピング部１３は、図１５のように、基地局装置のＲＦ中心周波数に１．２５ＭＨｚの同期チャネルＳＣＨを生成する。
【００７３】
基地局装置のシステム周波数帯域幅は２０ＭＨｚの場合、図５に示すように、上記生成した同期シーケンス（例えば、同期シーケンスインデックスｇ＝１、２、・・・、５１１の中の１つｇ＝２に対応した同期シーケンス）をチャネルマッピング部１３に出力する。チャネルマッピング部１３は、図２に示すように、上位１０ＭＨｚ帯域幅の中心周波数、および下位１０ＭＨｚ帯域幅の中心周波数に同期チャネルＳＣＨ１を生成する。また、図５に示すように、２０ＭＨｚ帯域識別子を表すｇ＝５１２に対応した同期シーケンスを生成し、チャネルマッピング部１３に出力する。チャネルマッピング部１３は、図２に示すように、基地局装置のＲＦ中心周波数に１．２５ＭＨｚの同期チャネルＳＣＨ２を生成する。
【００７４】
（４）報知チャネルＢＣＨ信号および共用／個別制御信号の生成
制御信号生成部１２は、制御データからシステム固有のパラメータおよびセル／セクタ固有のパラメータなど報知情報を取り出し、報知チャネルＢＣＨ信号を生成し、また、制御データから移動局装置所要の共用制御信号、レイヤ１／レイヤ２の制御信号、自局宛てパケットデータに割当てられたＲＢの位置、ＡＭＣＳパラメータなど個別制御情報を取り出し、共用／個別制御信号を生成し、チャネルマッピング部１３に入力する。チャネルマッピング部１３では、図１３に示したように報知チャネルＢＣＨ信号および共用／個別制御信号の生成を報知チャネルＢＣＨおよび共通制御チャネルにマッピングする。
【００７５】
（Ｂ）移動局装置の受信部の構成
図１０は、本実施形態に係る移動局装置の受信部の構成を示すブロック図である。１つのセクタが複数本（１〜４）の送信アンテナにより構成された場合、移動局装置を複数本の受信アンテナに対応する複数個（１〜４）受信部（ブランチ）により構成することができる。ここでは、例として、１本の受信アンテナ対応の受信部（１つの受信アンテナブランチ）について説明する。移動局装置の受信部２０には、受信アンテナ２１、無線部（ＲＸ）２２、ＡＤＣ（アナログ／デジタル信号変換）処理部２３、ＣＰ削除部２４、並直列変換部（Ｐ／Ｓ）２５、ＤＦＴ変換部（離散フーリエ変換、Ｄｉｓｃｒｅｔｅ  Ｆｏｕｒｉｅｒ  Ｔｒａｎｓｆｏｒｍ）２６、チャネルディマッピング部２７、並直列変換部（Ｐ／Ｓ）２８、制御信号抽出部２９、チャネル推定・ＣＱＩ測定部３０およびセルサーチ部３１が含まれる。
【００７６】
図８に示した複数のセクタおよび複数の送信アンテナから送られて来た下りリンク無線信号は、図１０の受信アンテナ２１端で合成され、無線部（ＲＸ）２２のフィルタリング、周波数変換など、アナログ／デジタル信号変換（ＡＤＣ）の処理によりデジタルベースバンド信号に変換される。ＣＰ削除部２４は、後述のセルサーチ部３１の出力であるセルサーチ結果のＯＦＤＭシンボルタイミングをベースにＣＰ部分を削除する。直並列変換部（Ｓ／Ｐ）が直並列変換を行ない、ＤＦＴ変換部２６がＯＦＤＭ信号復調を行なう。チャネルディマッピング部２７によりトラフィックチャネルＴＣＨと共通制御チャネルの復調を行ない、トラフィックチャネルＴＣＨのデータを並直列変換部（Ｐ／Ｓ）２８により変換し、自局宛てのパケットデータを復調する。共通制御チャネルデータは制御信号抽出部２９に送られる。
【００７７】
一方、制御信号抽出部２９は、チャネルディマッピング部２７からの入力信号に基づいて、同期チャネルＳＣＨ信号、スクランブリングコードＳＣ信号、リファレンス信号ＲＳ、報知チャネルＢＣＨ信号、共用／個別制御信号など制御信号を抽出する。
【００７８】
（１）同期チャネルＳＣＨ信号の抽出
移動局装置の動作は、初期セルサーチと非初期セルサーチに分けられる。初期セルサーチの場合、無線部（ＲＸ）２２は、基地局装置のＲＦ中心周波数に同調し、ＯＦＤＭ信号を復調する。制御信号抽出部２９は、チャネルディマッピング部２７から同期チャネルＳＣＨ信号（２０ＭＨｚシステム周波数帯域場の場合、ＳＣＨ２）を取り出し、セルサーチ部３１に出力する。セルサーチ部３１により、受信信号のキャリア周波数オフセット、ＯＦＤＭシンボルタイミングの検出と補正、同期シーケンスインデックス（ｇ）の同定を行なう。
【００７９】
検出された同期シーケンスインデックス（ｇ）、すなわちセル固有情報インデックス（ｗ）により、セルＩＤ（ｃ）が検出された場合、セルサーチ部３１により、検出したリファレンスシーケンスインデックス（例えば３つのセクタに対応し、ｒ＝１、２、３とする）をチャネル推定・ＣＱＩ測定部３０に、スクランブリングコードＳＣインデックス（ｓ）をチャネルディマッピング部２７に出力される。ＯＦＤＭシンボルタイミングはＤＦＴ変換部２６などに出力される。チャネルディマッピング部２７は、スクランブリングコードＳＣインデックス（ｓ）を用いて、ローカルスクランブリングコードＳＣを生成し、チャネルディマッピング部２７に入力されたＯＦＤＭシンボルに対して、ディスクランブル処理により、被ったスクランブリングコードＳＣを削除し、報知チャネルＢＣＨを抽出する。なお、同期チャネルＳＣＨ信号に対しては、送信側ではスクランブル処理していないため、受信信号から直接同期チャネルＳＣＨ信号を分離（抽出）することができる。
【００８０】
セルサーチ部３１は、検出された同期シーケンスインデックス（ｇ）、すなわちセル固有情報インデックス（ｗ）により、２０ＭＨｚ帯域識別子（ｙ）が検出された場合、同期している基地局装置はシステム周波数帯域幅が２０ＭＨｚであることと判断する。移動局装置の無線部（ＲＸ）２２は、図１６に示すように、基地局装置の指示に従って、上位１０ＭＨｚ帯域幅の中心周波数、または下位１０ＭＨｚ帯域幅の中心周波数に同調し、非初期セルサーチを行なう。
【００８１】
非初期セルサーチを行なう場合、制御信号抽出部２９は、チャネルディマッピング部２７から図２に示したように、例えば上位１０ＭＨｚ帯域幅の中心周波数にある隣接セルの同期チャネルＳＣＨ１信号を取り出し、セルサーチ部３１に出力する。セルサーチ部３１により、受信信号のキャリア周波数オフセット、ＯＦＤＭシンボルタイミングの検出と補正、隣接セルの同期シーケンスインデックス（ｇ）の同定、すなわち、隣接セルのセル固有情報インデックス（ｗ）の検出を行なう。検出した隣接セルのリファレンスシーケンスインデックス（ｒ）をチャネル推定・ＣＱＩ測定部３０に、隣接セルのスクランブリングコードＳＣインデックス（ｓ）をチャネルディマッピング部２７に出力される。隣接セルのＯＦＤＭシンボルタイミングはＤＦＴ変換部２６などに出力される。チャネルディマッピング部２７は、隣接セルのスクランブリングコードＳＣインデックス（ｓ）を用いて、ローカルスクランブリングコードＳＣを生成し、チャネルディマッピング部２７に入力された隣接セルのＯＦＤＭシンボルに対して、ディスクランブル処理により、被ったスクランブリングコードＳＣを削除し、隣接セルの報知チャネルを抽出する。
【００８２】
（２）リファレンス信号ＲＳの抽出とチャネル推定・ＣＱＩ測定
チャネルディマッピング部２７は、セルサーチ部３１からのスクランブリンググループＳＧインデックス（ｓ）を用いて、ローカルスクランブリングコードＳＣを生成し、ディスクランブル処理を行なう。制御信号抽出部２９は、チャネルディマッピング部２７からリファレンスシンボルを取り出し、チャネル推定・ＣＱＩ測定部３０とセルサーチ部３１に出力する。チャネル推定・ＣＱＩ測定部３０は、リファレンスシンボルを用いて、無線伝搬路状態の推定（チャネル推定）を行ない、ユーザデータ復調部（図示せず）に出力する。
【００８３】
一方、ローカルのリファレンス信号ＲＳを用いて、各ＲＢのリファレンス信号ＲＳの電力を測定し、システムによる予め定義した信号フォーマットに変換し、上りリンクを通じて、基地局装置にフィードバックする。なお、リファレンスシンボルは、ＧＣＬシーケンスを使用する場合、例えば、リファレンスシーケンスインデックス（ｒ）によりローカルリファレンス信号を生成し、抽出したリファレンス信号ＲＳと相関処理、ＩＤＦＴ変換（周波数領域信号を時間領域に変換）、フィルタリング処理（干渉成分、雑音成分の除去）、ＤＦＴ変換（時間領域信号を周波数領域に変換）の一連処理によりチャネル推定を行なうことができる。
【００８４】
（３）報知チャネルＢＣＨ信号および共用／個別制御信号の抽出
制御信号抽出部２９は、図１３に示した報知チャネルＢＣＨ信号を抽出し、システム固有のパラメータおよびセル／セクタ固有のパラメータなど報知情報を復調する。各ＲＢの先頭ＯＦＤＭシンボルから、移動局装置所要の共用制御信号、レイヤ１／レイヤ２の制御信号、自局宛てパケットデータに割当てられたＲＢの位置、ＡＭＣＳパラメータなど個別制御情報を取り出し、共用／個別制御信号を復調し、ユーザデータ復調部（図示せず）に出力する。
【００８５】
（４）セルサーチ方法（手順）
セルサーチ部３１には、複数のセクタおよび複数の送信アンテナから送られて来た複数のリファレンス信号ＲＳおよび同期チャネルＳＣＨの多重信号が入力されている。セルサーチ部３１では、キャリア周波数オフセット同期、ＯＦＤＭシンボルタイミング同期、無線フレームタイミング同期、セクタ固有情報インデックス（ｗ）、リファレンスシーケンスインデックス（ｒ）、スクランブリングコードＳＣインデックス（ｓ）同定、および各リファレンス信号ＲＳ受信電力の検出を行ない、セルサーチ結果として出力する。リファレンスシーケンスインデックス（ｒ）をチャネル推定・ＣＱＩ測定部３０に出力し、ローカルリファレンス信号ＲＳを生成し、チャネル推定およびＣＱＩ算出を行なう。スクランブリングコードＳＣインデックス（ｓ）はチャネルディマッピング部に出力され、スクランブリングコードのディスクランブル処理を行なう。
【００８６】
図１１は、セルサーチ部３１の動作を示すフローチャートである。ここでは、電源投入のとき、またはカバレッジ外から戻ってきた時に、キャンプする（待ち受けを行なう）状態から動作を説明する。セルをサーチするために、移動局装置は初期セルサーチを開始する（ステップＳ１）。チャネル番号ＵＡＲＦＣＮ（２００ｋＨｚ）間隔でバンドサーチを行ない、基地局装置のＲＦ中心周波数において、同期チャネルＳＣＨ（２０ＭＨｚシステム周波数帯域幅の場合はＳＣＨ２）を検出する。受信した複数の同期チャネルＳＣＨの受信信号に対して、時間領域における自己相関または相互相関処理により最大電力の同期チャネルＳＣＨに対応したキャリア周波数オフセット、ＯＦＤＭシンボルタイミングの同期を行ない、また同期シーケンスインデックス（ｇ）を検出する（ステップＳ１）。
【００８７】
次に、検出された同期シーケンスインデックス（ｇ）、すなわち、対応するセル固有情報インデックス（ｗ）が、２０ＭＨｚ帯域識別子（ｙ）であるかどうかを判断し（ステップＳ２）、２０ＭＨｚ帯域識別子（ｙ）ではなく、すなわち、セルＩＤ（ｃ）である場合、ステップＳ５へ遷移し、さらにリファレンスシーケンスインデックス（ｒ）、およびスクランブリングコードインデックス（ｓ）を同定し、報知チャネルＢＣＨの復調を行なって（ステップＳ５）、待ち受け状態（アイドルモード）へ遷移する。非初期セルサーチは、基地局装置のＲＦ中心周波数で行なう。
【００８８】
一方、ステップＳ２において、２０ＭＨｚ帯域識別子（ｙ）である場合、周波数シフトを行ない（ステップＳ３）、同期チャネルＳＣＨ１によりセルＩＤ（ｃ）の検出を行ない（ステップＳ４）、さらにリファレンスシーケンスインデックス（ｒ）、およびスクランブリングコードインデックス（ｓ）を同定し、報知チャネルＢＣＨの復調を行なって（ステップＳ５）、待ち受け状態（アイドルモード）へ遷移する。非初期セルサーチは、上位／下位１０ＭＨｚの中心周波数で行なう。
【００８９】
なお、待ち受けセルサーチは、図１２に示すフローチャートに従って行なわれる。すなわち、同期チャネルＳＣＨ１によりセルＩＤ（ｃ）の検出を行ない（ステップＳ６）、さらにリファレンスシーケンスインデックス（ｒ）、およびスクランブリングコードインデックス（ｓ）を同定し、報知チャネルＢＣＨの復調を行なう（ステップＳ７）。
【００９０】
上記のように、移動局装置は、２０ＭＨｚ帯域識別子（ｙ）を検出すると、上位／下位１０ＭＨｚに周波数シフトを行なう。このとき上位／下位への周波数位置は、移動局装置がランダムに選択するか、もしくは、移動局装置の識別ＩＤのハッシュ値などを用いて選択するようにしても良い。移動局装置識別ＩＤのハッシュ値を使う場合には、ネットワークが、移動局装置の周波数位置を管理可能なので有効である。
【００９１】
以上説明したように、２０ＭＨｚシステム周波数帯域幅における同期チャネルＳＣＨ１、ＳＣＨ２を配置する場合、非初期セルサーチは、同じ周波数帯域で行われる。よって、例えば、予め移動局装置が同期チャネルＳＣＨの周波数位置をメモリに記憶している場合、すなわち、バンドサーチにて周波数ラスターをスキャンする必要のない場合には、２０ＭＨｚの中心周波数の同期チャネルＳＣＨ２は、全く使用する必要がない。よって、２０ＭＨｚの中心周波数の同期チャネルＳＣＨ２は最低限の機能を有すると共に、２０ＭＨｚの中心周波数の報知チャネルＢＣＨを配置する必要性も排除できる。この点で、本実施形態は、リソースの有効活用という意味でも効果的である。
【００９２】
ここでは、上位１０ＭＨｚ帯域幅の中心周波数、または下位１０ＭＨｚ帯域幅にＳＣＨ１を配置するよう構成し説明したが、ＳＣＨ１は、ＳＣＨ２と時間的に分割した位置に配置することも可能である。特に、１０ＭＨｚ、２０ＭＨｚ移動局装置能力（ＵＥ  Ｃａｐａｂｉｌｉｔｙ）を有する移動局装置へ対応するために、２０ＭＨｚのＳＣＨ１を上位１０ＭＨｚ帯域幅または下位１０ＭＨｚ帯域幅に配置したが、２０ＭＨｚ移動局装置能力のみのシステムにおいては、ＳＣＨ１とＳＣＨ２を時間的または周波数的に分離した位置に配置することは有効である。ＳＣＨ１とＳＣＨ２を時間的または周波数的に分離し、ＳＣＨ２を受信することによってシステム周波数帯域幅を検出することが可能であることは、異なるシステム周波数帯域幅における処理手順をＳＣＨ２の検出以降で、それぞれのシステム周波数帯域幅で異なるように構成できるという意味で効果的である。
【００９３】
以上のような本発明の特徴的な動作は、コンピュータにプログラムを実行させることによって行なわれる。すなわち、本発明のプログラムは、複数種類の異なるシステム周波数帯域幅を使用する無線通信システムに適用される移動局装置のセルサーチ動作を制御するプログラムであって、受信信号から同期チャネル信号を抽出する処理と、前記同期チャネル信号に基づいて、同期シーケンスインデックスの同定を行なう処理と、前記同期シーケンスインデックスに対応するセル固有情報インデックスからシステム周波数帯域幅を示す識別子を検出して初期セルサーチを行なう処理と、前記識別子を検出した場合、その識別子に対応するシステム周波数帯域幅が、自身の最大受信周波数帯域幅ごとに区切られた際の各帯域幅の中心周波数帯域にマッピングされている前記識別子を有しない同期チャネル信号に基づいて、非初期セルサーチを行なう処理と、を含む一連の処理を、コンピュータが実行し得る命令群として構成したことを特徴としている。
【００９４】
このように、システム周波数帯域幅を示す識別子を有する識別子付き同期チャネル信号を、システム周波数帯域幅の中心周波数帯域にマッピングするので、使用する周波数帯域幅が異なる移動局装置は、初期セルサーチ時に上記中心周波数帯域で同期チャネル（ＳＣＨ２）を受信することによって、確実にシステム周波数帯域幅を把握することが可能となる。
【００９５】
上記のプログラムは、ＣＤ−ＲＯＭやＤＶＤ等の記録媒体に記録された状態で入手することができる。また、このようなプログラムは、ネットワークを構成する公衆電話回線、専用電話回線、ケーブルテレビ回線、無線通信回線等により構成される通信網等の伝送媒体を介して、送信装置であるコンピュータにより送信された信号を受信することで入手することもできる。この信号は、プログラムを含む所定の搬送波に具現化されたコンピュータデータ信号である。この送信の際、伝送媒体中には上記プログラムの少なくとも一部を伝送していればよい。すなわち、上記プログラムを構成するすべてのデータが、一時に伝送媒体上に存在している必要はない。また、上記コンピュータからプログラムを送信する送信方法には、プログラムを構成するデータを連続的に送信する場合も、断続的に送信する場合も含まれる。
【図面の簡単な説明】
【００９６】
【図１】３ＧＰＰの提案をベースに想定されているＥＵＴＲＡの下りリンク無線フレーム構成、無線チャネル配置の例を示す図である。
【図２】システム周波数帯域幅が２０ＭＨｚである本実施形態の下りリンク同期チャネルＳＣＨの配置例を示す図である。
【図３】２０ＭＨｚ、１０ＭＨｚ、５ＭＨｚ、２．５ＭＨｚ、１．２５ＭＨｚのシステム周波数帯域幅を示す図である。
【図４】同期シーケンスインデックスとセル固有情報インデックスを示す図である。
【図５】同期シーケンスインデックスとセル固有情報インデックスを示す図である。
【図６】同期シーケンスインデックスとセル固有情報インデックスを示す図である。
【図７】同期シーケンスインデックスとセル固有情報インデックスを示す図である。
【図８】基地局装置の送信部を示すブロック図である。
【図９】スクランブリングコードＳＣのマッピング例を示す図である。
【図１０】移動局装置の受信部を示すブロック図である。
【図１１】初期セルサーチと非初期セルサーチの手順を示す図である。
【図１２】待ち受けセルサーチの手順を示すフローチャートである。
【図１３】３ＧＰＰの提案をベースに想定されているＥＵＴＲＡの下りリンク無線フレーム構成、無線チャネル配置の例を示す図である。
【図１４】ＥＵＴＲＡシステムにおけるセルサーチ手順の例を示すフローチャートである。
【図１５】２０ＭＨｚ、１０ＭＨｚ、５ＭＨｚ、２．５ＭＨｚ、１．２５ＭＨｚのシステム周波数帯域幅を示す図である。
【図１６】２０ＭＨｚシステム周波数帯域幅を使用する基地局装置に対して、１０ＭＨｚの帯域幅を使用する移動局装置の使用すべき周波数帯域位置指定（中心周波数シフト）の方法を示す図である。
【図１７】２０ＭＨｚのシステム周波数帯域幅を有する基地局装置に対して、同期チャネルＳＣＨの配置を示す図である。
【図１８】２０ＭＨｚシステム周波数帯域幅を使用する基地局装置に対して、１０ＭＨｚの帯域幅を使用する移動局装置の使用する周波数帯域の中心周波数の例を示す図である。
【図１９】同期チャネルＳＣＨの構成を示す図である。
【図２０】同期チャネルＳＣＨの構成を示す図である。
【図２１】同期チャネルＳＣＨの構成を示す図である。
【図２２】同期チャネルＳＣＨの構成を示す図である。
【図２３】同期チャネルＳＣＨの構成を示す図である。
【符号の説明】
【００９７】
１０  送信部（基地局装置）
１１  Ｓ／Ｐ変換部
１２  制御信号生成部
１３  チャネルマッピング部
１４  ＩＤＦＴ変換部
１５  Ｐ／Ｓ変換部
１６  ＣＰ挿入部
１７  ＤＡＣ処理部（デジタル／アナログ信号変換）
１８  無線部（ＴＸ）
１９  送信アンテナ
２０  受信部（移動局装置）
２１  受信アンテナ
２２  無線部（ＲＸ）
２３  ＡＤＣ処理部（アナログ／デジタル信号変換）
２４  ＣＰ削除部
２５  Ｓ／Ｐ変換部
２６  ＤＦＴ変換部
２７  チャネルディマッピング部
２８  Ｐ／Ｓ変換部
２９  制御信号抽出部
３０  チャネル推定・ＣＱＩ測定部
３１  セルサーチ部
【図１】
2008124832.tif 000003
【図２】
2008124832.tif 000004
【図３】
2008124832.tif 000005
【図４】
2008124832.tif 000006
【図５】
2008124832.tif 000007
【図６】
2008124832.tif 000008
【図７】
2008124832.tif 000009
【図８】
2008124832.tif 000010
【図９】
2008124832.tif 000011
【図１０】
2008124832.tif 000012
【図１１】
2008124832.tif 000013
【図１２】
2008124832.tif 000014
【図１３】
2008124832.tif 000015
【図１４】
2008124832.tif 000016
【図１５】
2008124832.tif 000017
【図１６】
2008124832.tif 000018
【図１７】
2008124832.tif 000019
【図１８】
2008124832.tif 000020
【図１９】
2008124832.tif 000021
【図２０】
2008124832.tif 000022
【図２１】
2008124832.tif 000023
【図２２】
2008124832.tif 000024
【図２３】
2008124832.tif 000025